(57)【要約】      （修正有）【課題】軽量・小型でありながら充分な耐荷重を有し使用しない時に邪魔にならず別の用途に利用できる物干し台を提供する。【解決手段】物干し台の軽量化小型化を実現するため２本の縦枠材１と２本の横枠材２，３よりなるその４角が直角な枠材を支柱とし支柱である枠材が荷重を真上から受ける構造にすることによって支柱の荷重負担を小さくした。更に１個の物干し台について２個の枠材を使うことにより支柱の１個あたりの負荷を半減させた。また屏風型の物干し台２個を上下に容易に連結し切り離すことができる構造にして物干し台として使わない場合は衣類がけ等他の用途に利用できるようにした。【選択図】図１
0003160941.tif 000002
【実用新案登録請求の範囲】
【請求項１】
２個の縦枠材と２個の横枠材よりなるその４角が直角の枠材２個を丁番等で左右に自由に開閉できるように結合し、その枠材の上端口と下端口についたサネ用の溝およびダボ用の穴とサネの突起またはダボをかみ合わせて重ねることによって、もしくは枠材の上端口と下端口に装着した接合金具によって同形の物品を上下に連結しまたは抜き取ることが容易に出来る屏風型の物干し台。
【請求項２】
２個の縦枠材と２個の横枠材よりなるその４角が直角で縦枠材の両端部が上下の横枠材の端部から突き出た枠材２個を丁番等で左右に自由に開閉できるように結合し、その枠材の上端口と下端口についたサネ用の溝またはダボ用の穴とサネの突起またはダボをかみ合わせて重ねることによって、もしくは枠材の上端口と下端口に装着した接合金具によって同形の物品を上下に連結しまたは抜き取ることが容易に出来る屏風型の物干し台。
【考案の詳細な説明】
【技術分野】
【０００１】本考案は連結と切り離しが容易にできる屏風型の物干し台に関する。
【背景技術】
【０００２】物干し台は大きな荷重がかかるため頑丈で大型なものが多い。耐荷重の大きいもの程その傾向がある。従来の物干し台は使わない時に場所をとる、移動が容易でない、といった不都合を伴う。軽量・小型で洗濯物が少量でも大量でも、小さなものでも大きなものでも効率よく使え、使わない時も別の用途に利用できる物干し台を入手することはこれまで困難であった。
【考案が解決しようとする課題】
【０００３】本考案の課題は充分な耐荷重力をもち軽量・小型でそのため室内、室外の任意の場所へ容易に移動して使用でき、使わない時も別の用途に使える物干し台を提供するところにある。
【考案が解決するための手段】
【０００４】耐荷重力を損なうことなく物干し台を軽量化・小型化するため本考案は支柱の荷重負担を最小にするため荷重を支柱の真上から受ける構造とし、２個の支柱によって荷重を支える構造とした。また物干し台として使わない場合も衣類がけ等他の目的に利用できるようにするため本考案は同形の物干し台２個を上下に容易に連結し切り離しできる構造とする。
従来の物干し台は物干し竿を受ける受け台が支柱から水平方向に飛び出てついているものが多い。支柱から離れた受け台に加わる荷重はてこの原理によって加重され支柱には受け台より大きな荷重がかかる。この構造では支柱は受け台にかかるより大きな荷重を支える必要性がありそのため物干し台は重量化・大型化する傾向があった。これを解決するため本考案では荷重を支柱の真上から受け止める構造とした。本考案では２本の縦枠材と２本の横枠材よりなるその４角が直角の枠材が一体として支柱としての機能をもつ。荷重はこの枠材の上側横枠材にかかるが本考案では枠材は一体として支柱を構成しているので荷重は常に支柱の真上からかかることになる。この枠材２個を自由に左右に開閉できるように丁番等で結合したのが本考案の屏風型の物干し台である。屏風型の物干し台は２個の枠材よりなりその枠材をほぼ直角に開いて自立させこの２個の枠材の上に物干し竿を渡すと物干し竿にかかる荷重は２個の支柱である枠材に分散する。１個の屏風型の物干し台が２個の支柱を有すると同じ構造であり１個の支柱にかかる負荷は半減し軽量化・小型化を可能にする。従来の多くの物干し台は単一の用途しかないため使わない時は不用となり邪魔になることが多かった。本考案は使わない時も他の用途に使えるようにするため枠材の上端口と下端口についたサネ用の溝またはダボ用の穴とサネの突起またはダボをかみ合わせて重ねることにより、もしくは枠材の上端口と下端口に装着した接合金具をかみ合わせることにより２個の屏風型の物干し台を上下に容易に連結しまた切り離しできる構造とした。物干し台として使わない時は２個の屏風型の物干し台を上下に重ね横枠材を鴨居代わりにして衣類がけに使うこともできるし、直接物干しとして使うこともできる。和風ハンガーの衣桁と同様の使い方ができる。
使い方は２個の屏風型の物干し台を適当な間隔をあけた位置でそれぞれ２個の枠材を丁番等の軸からほぼ直角になるように左右に開いて自立させ両方の上側横枠材各２個にかかるように物干し竿を渡して洗濯物をかける。物干し台として使用しない時は屏風型の物干し台２個を上下に連結して室内の片隅等に置きその横枠材を鴨居代わりにして衣類がけ等に使用する。また洗濯物が少量な場合や背の高い洗濯物を干す場合にはハンガー等にかけた洗濯物を直接上下に連結した屏風型の物干し台の横枠材にかけて物干しとして使用する。そして再び物干し台として使う場合は、上に乗った屏風型の物干し台を抜き取り切り離して自立させて使う。本考案の１個の屏風型の物干し台の高さは約１メートル、巾はその半分程度であり上下に連結した時の高さは約２メートルである。
【考案の効果】
【０００５】このように本考案の物干し台は従来品に比して軽量化・小型化を実現する。そのため室内室外の任意の場所へ移動して使うことが容易である。また使わない時に衣類がけ等に転用できるので邪魔にならない。本考案の物干し台を連結もしくは切り離すことにより洗濯物の量と大きさに合せて効率よく使用することができる。
【図面の簡単な説明】
【０００６】
【図１】屏風型の物干し台の実施方法を示した説明図である。（実施例１）
【図２】屏風型の物干し台の実施方法を示した説明図である。（実施例１）
【図３】上下の連結がダボ式の屏風型の物干し台の実施方法を示した説明図である。（実施例２）
【図４】上下の連結が接合金具による屏風型の物干し台２個を上下に連結した実施方法を示した説明図である。（実施例３）
【考案を実施するための形態】
【０００７】軽量・小型でありながら充分な耐荷重を有し使用しない時に邪魔にならず別の用途に使える物干し台を提供するという目的に対し２個の縦枠材と２個の横枠材よりなるその４角が直角の枠材２個を丁番等で左右に自由に開閉できるように結合し、その枠材の上端口と下端口についたサネ用の溝またはダボ用の穴とサネの突起またはダボをかみ合わせて重ねることによってもしくは枠材の上端口と下端口に装着した接合金具によって同形の物品を上下に連結しまたは抜き取ることが容易に出来る屏風型の物干し台で実現した。
【実施例１】
【０００８】本考案の実施例について図面を参照しながら説明する。
図１は上下の連結がサネ式の屏風型の物干し台２個を使って物干し竿をかけた斜視図である。図面２はこの屏風型の物干し台１個の正面図、背面図、左側面図および平面図である。
枠材上端口にはサネの突起５があり下端口にはサネ用の溝６がついていて上に乗る枠材の下端口の溝と下の上端口のサネとをかみあわせて重ねることにより２個の屏風型物干し台を上下に連結できる。使い方は２個の屏風型の物干し台を適当な間隔を開けた位置でそれぞれの２個の枠材を丁番４の軸からほぼ直角に開いて自立させ、それぞれの２個の横枠材２にかかるように物干し竿９を渡す。
【実施例２】
【０００９】図３は枠材の角に縦枠材の出っ張りがなく上下の連結がダボ式の屏風型の物干し台１個の正面図および平面図である。
枠材の上端口にはダボ７があり下端口にはダボ用の穴８がついていて下の枠材の上端口についたダボ７と上の下端口についたダボ用の穴８をかみあわせて重ねることにより２個の屏風型の物干し台を上下に連結できる。
実施例２は枠材の角に縦枠材の出っ張りがなく上下の連結がダボ式である以外すべて実施例１と同じである。
【実施例３】
【００１０】図４は２個の屏風型の物干し台を上下に連結して衣類がけとして利用する場合の正面図である。本例では物干し台の連結に諸種類ある接合金具の中で角型筒状の金具を使った例を示している。使い方は丁番４を軸にして２個の枠材をほぼ直角に開いて自立させ、下の縦枠材の上端部の突き出た部分に筒状金具をその空洞に納めるようかぶせ次に上の縦枠材の下端部の突き出た部分を筒状金具の残った空洞に挿入して屏風型の物干し台２個を上下に連結する。上端または中央部の横枠材を使って衣類がけや物干しとして利用する。
【産業上の利用可能性】
【００１１】軽量・小型でありながら充分な耐荷重を有し使用しない時に邪魔にならず別の用途に使える必要性のある物干し台の用途に適用できる。
【符号の説明】
【００１２】１    縦枠材
２    上側横枠材
３    下側横枠材
４    丁番
５    サネの突起
６    サネ用の溝
７    ダボ
８    ダボ用の穴
９    物干し竿
１０  接合金具
【図１】
0003160941.tif 000003
【図２】
0003160941.tif 000004
【図３】
0003160941.tif 000005
【図４】
0003160941.tif 000006